(57)【要約】【課題】本発明は、識別回路を提供する。【解決手段】本発明の識別回路は、ＲＳ２３２インターフェースが提供する電圧類型を判断するために用いられ、第一〜第四電子スイッチと、第一〜第二発光ダイオードと、第一〜第四レジスターと、を備え、ＲＳ２３２インターフェースが第一類型の電圧を出力する場合、第一発光ダイオードが発光し、ＲＳ２３２インターフェースが第二類型の電圧を出力する場合、第二発光ダイオードが発光し、ＲＳ２３２インターフェースが電圧を出力しない場合、第一発光ダイオード及び第二発光ダイオードは、全て発光しない。【選択図】図２
2014115996.tif 000002
【特許請求の範囲】
【請求項１】
ＣＯＭインターフェースに接続されるＲＳ２３２インターフェースが提供する電圧類型を判断するために用いられる識別回路であって、第一〜第四電子スイッチと、第一発光ダイオードと、第二発光ダイオードと、第一〜第四レジスターと、を備え。
前記第一電子スイッチの第一端は、前記第一レジスターによって前記ＣＯＭインターフェースの第一ピンに接続され且つ前記第二レジスターによって接地し、前記第一電子スイッチの第二端は接地し、前記第一電子スイッチの第三端は、前記第三レジスターによって前記ＣＯＭインターフェースの第一ピンに接続され且つ前記第二電子スイッチの第一端に接続され、前記第二電子スイッチの第二端は接地し、前記第二電子スイッチの第三端は、前記第四レジスターによって電源に接続され、前記第三電子スイッチの第一端は、前記ＣＯＭインターフェースの第一ピンに接続され、前記第三電子スイッチの第二端は、前記第一発光ダイオードの陰極に接続され、前記第三電子スイッチの第三端は、前記第一電子スイッチの第三端に接続され、前記第一発光ダイオードの陽極は前記電源に接続され、前記第四電子スイッチの第一端は、前記ＣＯＭインターフェースの第一ピンに接続され、前記第四電子スイッチの第二端は、前記第二発光ダイオードの陰極に接続され、前記第四電子スイッチの第三端は、前記第二電子スイッチの第三端に接続され、前記第二発光ダイオードの陽極は前記電源に接続され、
前記第一〜第四電子スイッチの第一端が高レベルである場合、前記第一〜第四電子スイッチはオンされ、前記第一〜第四電子スイッチの第一端が低レベルである場合、前記第一〜第四電子スイッチはオフされることを特徴とする識別回路。
【請求項２】
前記識別回路はショットキーダイオードをさらに備え、前記ショットキーダイオードの入力端は、前記ＣＯＭインターフェースの第一ピンに接続され、前記ショットキーダイオードの出力端は、前記第三電子スイッチの第一端及び前記第四電子スイッチの第一端に接続され、前記第一電子スイッチの第一端は、前記第一レジスターによって前記ショットキーダイオードの出力端に接続され、前記第一電子スイッチの第三端は、前記第三レジスターによって前記ショットキーダイオードの出力端に接続されることを特徴とする請求項１に記載の識別回路。
【請求項３】
前記識別回路は、第五レジスター及び第六レジスターをさらに備え、前記第一発光ダイオードの陽極は、前記第五レジスターによって前記電源に接続され、前記第二発光ダイオードの陽極は、前記第六レジスターによって前記電源に接続されることを特徴とする請求項２に記載の識別回路。
【請求項４】
前記ＲＳ２３２インターフェースが第一類型の電圧を出力する場合、前記第一発光ダイオードが発光し、前記ＲＳ２３２インターフェースが第二類型の電圧を出力する場合、前記第二発光ダイオードが発光し、前記ＲＳ２３２インターフェースが電圧を出力しない場合、前記第一発光ダイオード及び前記第二発光ダイオードは、全て発光しないことを特徴とする請求項３に記載の識別回路。
【発明の詳細な説明】
【技術分野】
【０００１】
本発明は、識別回路に関するものである。
【背景技術】
【０００２】
ＲＳ２３２インターフェースは、コンピューター産業で広く応用される。一般的に、ＲＳ２３２インターフェースは９つのピンを備え、別々に第一ピンＤＣＤ、第二ピンＲＸＤ、第三ピンＴＸＤ、第四ピンＤＴＲ、第五ピンＧＮＤ、第六ピンＤＳＲ、第七ピンＲＴＳ、第八ピンＣＴＳ及び第九ピンＲＩである。通常、ＲＳ２３２インターフェースは５Ｖ電圧又は１２Ｖ電圧を提供する。しかし、使用者はＲＳ２３２インターフェースがとうてい５Ｖ電圧を提供するかそれとも１２Ｖ電圧を提供するかを直観的に判断することができない。だから、使用不当であると、電圧がマッチングしないため、周辺の設備が破損する恐れがある。
【発明の概要】
【発明が解決しようとする課題】
【０００３】
本発明の目的は、前記課題を解決し、ＲＳ２３２インターフェースが提供する電圧類型を指示する識別回路を提供することである。
【課題を解決するための手段】
【０００４】
本発明に係る識別回路は、ＣＯＭインターフェースに接続されるＲＳ２３２インターフェースが提供する電圧類型を判断するために用いられ、第一〜第四電子スイッチと、第一発光ダイオードと、第二発光ダイオードと、第一〜第四レジスターと、を備え、第一電子スイッチの第一端は、第一レジスターによってＣＯＭインターフェースの第一ピンに接続され且つ第二レジスターによって接地し、第一電子スイッチの第二端は接地し、第一電子スイッチの第三端は、第三レジスターによってＣＯＭインターフェースの第一ピンに接続され且つ第二電子スイッチの第一端に接続され、第二電子スイッチの第二端は接地し、第二電子スイッチの第三端は、第四レジスターによって電源に接続され、第三電子スイッチの第一端は、ＣＯＭインターフェースの第一ピンに接続され、第三電子スイッチの第二端は、第一発光ダイオードの陰極に接続され、第三電子スイッチの第三端は、第一電子スイッチの第三端に接続され、第一発光ダイオードの陽極は電源に接続され、第四電子スイッチの第一端は、ＣＯＭインターフェースの第一ピンに接続され、第四電子スイッチの第二端は、第二発光ダイオードの陰極に接続され、第四電子スイッチの第三端は、第二電子スイッチの第三端に接続され、第二発光ダイオードの陽極は電源に接続され、第一〜第四電子スイッチの第一端が高レベルである場合、第一〜第四電子スイッチはオンされ、第一〜第四電子スイッチの第一端が低レベルである場合、第一〜第四電子スイッチはオフされる。
【発明の効果】
【０００５】
本発明の識別回路において、ＲＳ２３２インターフェースが提供する電圧類型に基づいて対応する発光ダイオードを発光させて、ユーザーの使用不当による設備破損を免れる。
【図面の簡単な説明】
【０００６】
【図１】本発明の実施形態に係る識別回路の回路図である。
【図２】本発明の実施形態に係る識別回路の回路図である。
【発明を実施するための形態】
【０００７】
以下、図面を参照して、本発明の実施形態について説明する。
【０００８】
図１及び図２を参照すると、本発明の実施形態に係る識別回路は、ＲＳ２３２インターフェース２０がＣＯＭインターフェース１０に出力する電圧類型を指示するために用いられる。識別回路は、ショットキーダイオードＤ１と、６つのレジスターＲ１〜Ｒ６と、４つのトランジスターＱ１〜Ｑ４と、２つの発光ダイオードＣ１及びＣ２と、を備える。
【０００９】
ＣＯＭインターフェース１０は、第一ピン１〜第十ピン１０を備え、第一ピン１は使用されていなく、第九ピン９は接地され、第二ピン２〜第八ピン８及び第十ピン１０は、Ｃｏｎｓｏｌｅ線によってＲＳ２３２インターフェース２０のピンＣＯＭ＿ＤＣＤ、ピンＣＯＭ＿ＤＳＲ、ピンＣＯＭ＿ＲＸＤ、ピンＣＯＭ＿ＲＴＳ、ピンＣＯＭ＿ＴＸＤ、ピンＣＯＭ＿ＣＴＳ、ピンＣＯＭ＿ＤＴＲ及びピンＣＯＭ＿ＲＩにそれぞれに接続される。
【００１０】
ショットキーダイオードＤ１の入力端は、ＣＯＭインターフェース１０のピン１０に接続され、ショットキーダイオードＤ１の出力端は、レジスターＲ１、Ｒ２によって接地され且つレジスターＲ３によってトランジスターＱ１のドレイン電極Ｄに接続される。トランジスターＱ１のゲート電極Ｇは、レジスターＲ１とレジスターＲ２のノードに接続され、トランジスターＱ１のソース電極Ｓは接地される。トランジスターＱ１のドレイン電極Ｄは、トランジスターＱ２のゲート電極Ｇに接続される。トランジスターＱ２のソース電極Ｓは接地され、トランジスターＱ２のドレイン電極Ｄは、レジスターＲ４によって電圧ＶＣＣ３（３Ｖ電圧である）に接続され且つトランジスターＱ３のドレイン電極Ｄに接続される。トランジスターＱ３のゲート電極Ｇは、ショットキーダイオードＤ１の出力端Ｃに接続され、トランジスターＱ３のソース電極Ｓは、発光ダイオードＣ２の陰極に接続される。発光ダイオードＣ２の陽極は、レジスターＲ６によって電源ＶＣＣ３に接続される。トランジスターＱ４のゲート電極Ｇは、ショットキーダイオードＤ１の出力端Ｃに接続され、トランジスターＱ４のドレイン電極Ｄは、トランジスターＱ１のドレインＤに接続され、トランジスターＱ４のソース電極Ｓは、発光ダイオードＣ１の陰極に接続される。発光ダイオードＣ１の陽極は、レジスターＲ５によって電源ＶＣＣ３に接続される。
【００１１】
ＲＳ２３２インターフェース２０のピンＣＯＭ＿ＲＩが５Ｖ電圧を提供する場合、ＣＯＭインターフェース１０の第十ピン１０は５Ｖ電圧を受け取って、ショットキーダイオードＤ１の出力端Ｃの電圧も５Ｖである。トランジスターＱ３及びＱ４のゲート電極Ｇの電圧は、全て５Ｖである。トランジスターＱ１のゲート電極Ｇの電圧はレジスターＲ１及びＲ２によって分圧されてから１．２４Ｖなって、トランジスターＱ１はオフされる。トランジスターＱ１のドレイン電極Ｄの電圧は５Ｖであり、トランジスターＱ２のゲート電極Ｇの電圧も５Ｖである。トランジスターＱ２のゲート電極Ｇの電圧は５Ｖであるので、トランジスターＱ２はオンされて、トランジスターＱ２のドレイン電極Ｄは低レベルになり、トランジスターＱ３のドレイン電極Ｄも低レベルになる。トランジスターＱ３のゲート電極Ｇの電圧は５Ｖであるので、トランジスターＱ３はオンされて、トランジスターＱ３のソース電極Ｓも低レベルになり、発光ダイオードＣ２の陰極は低レベルになって、発光ダイオードＣ２は発光する。トランジスターＱ４のゲート電極Ｇの電圧は５Ｖであるので、トランジスターＱ４はオンされて、トランジスターＱ４のドレイン電極Ｄの電圧は５Ｖであり、トランジスターＱ４のソース電極Ｓの電圧も５Ｖであり、発光ダイオードＣ１の陰極の電圧は５Ｖであり、発光ダイオードＣ１は発光しない。発光ダイオードＣ１及びＣ２を異なる色にして、ユーザーは、発光ダイオードＣ２が発光し且つ発光ダイオードＣ１が発光しないことによって、ＲＳ２３２インターフェースが５Ｖ電圧を提供することを判断する。本実施形態においえ、トランジスターＱ１〜Ｑ４は、全てＮ型トランジスターである。
【００１２】
ＲＳ２３２インターフェース２０のピンＣＯＭ＿ＲＩが５Ｖ電圧を提供する場合、ＣＯＭインターフェース１０の第十ピン１０は１２Ｖ電圧を受け取って、ショットキーダイオードＤ１の出力端Ｃの電圧は１２Ｖである。トランジスターＱ３及びＱ４のゲート電極Ｇの電圧は全て１２Ｖである。トランジスターＱ１のゲート電極Ｇの電圧はレジスターＲ１及びＲ２によって分圧されてから３Ｖなって、トランジスターＱ１はオンされる。トランジスターＱ１のドレイン電極Ｄの電圧は低レベル（０Ｖである）であり、トランジスターＱ２のゲート電極Ｇの電圧も低レベルである。トランジスターＱ２のゲート電極Ｇの電圧は低レベルであるので、トランジスターＱ２はオフされて、トランジスターＱ２のドレイン電極Ｄは高レベルになり、トランジスターＱ３のドレイン電極Ｄも高レベルになる。トランジスターＱ３のゲート電極Ｇの電圧は１２Ｖであるので、トランジスターＱ３はオンされて、トランジスターＱ３のソース電極Ｓも高レベルになり、発光ダイオードＣ２の陰極は高レベル（３Ｖである）になって、発光ダイオードＣ２は発光しない。トランジスターＱ４のゲート電極Ｇの電圧は１２Ｖであり、トランジスターＱ４はオンされ、トランジスターＱ４のドレイン電極Ｄは低レベルであり、トランジスターＱ４のソース電極Ｓも低レベルであり、発光ダイオードＣ１の陰極の電圧は低レベルであり、発光ダイオードＣ１は発光する。ユーザーは、発光ダイオードＣ２が発光しなく且つ発光ダイオードＣ１が発光することによって、ＲＳ２３２インターフェースが１２Ｖ電圧を提供することを判断する。
【００１３】
ＲＳ２３２インターフェース２０が電圧を提供しない場合、ショットキーダイオードＤ１の出力端は電圧を出力しなく、トランジスターＱ３、Ｑ４は全てオフ状態になり、発光ダイオードＣ１及びＣ２は全て発光しない。ユーザーは、発光ダイオードＣ１及びＣ２が全て発光しないことによって、ＲＳ２３２インターフェースが電圧を提供しないことを判断する。
【００１４】
トランジスターＱ１〜Ｑ４は電子スイッチ作用を発揮し、他の実施形態において、他のタイプの電子スイッチで切り替えることができ、例えば、ＮＰＮ型トランジスターである。トランジスターＱ１〜Ｑ４のゲート電極、ソース電極及びドレイン電極は、ＮＰＮ型トランジスターのベース、エミッタ及びコレクタに相当する。
【符号の説明】
【００１５】
１０  ＣＯＭインターフェース
２０  ＲＳ２３２インターフェース
Ｃ１、Ｃ２  発光ダイオード
Ｄ１  ショットキーダイオード
Ｒ１、Ｒ２、Ｒ３、Ｒ４、Ｒ５、Ｒ６  レジスター
Ｑ１、Ｑ２、Ｑ３、Ｑ４  トランジスター
【図１】
2014115996.tif 000003
【図２】
2014115996.tif 000004